(57)【要約】【課題】第１移動端末の情報によって移動通信サービスの提供を受けていた第２移動端末が一定時間以上圏外地域に在圏する場合、電話番号切替サービスを強制的に解除して、第１移動端末を元の状態に復元させる方法を提供する。【解決手段】本発明は、第２移動端末から受信される共通パイロットチャネルの電力の強さが閾値以下である状態が閾値時間以上持続すると、第１移動端末の電話番号切替状態を解除する端末復元方法を提供する。また、本発明は、第２移動端末から受信される共通パイロットチャネルの電力の強さが閾値以下である区間の回数が事前に設定された時間単位内で閾値回数を超過すると、第１移動端末の電話番号切替状態を解除する。また、本発明は第１移動端末がサービス可能地域に在圏し、第２移動端末が圏外地域に在圏すれば、第１移動端末の電話番号切替状態を解除して復元させる。【選択図】図３
2010124461.tif 000002
【特許請求の範囲】
【請求項１】
第１移動端末の電話番号を第２移動端末に設定して、前記第２移動端末を通して前記第１移動端末の移動通信サービスの提供を受ける電話番号切替サービスにおいて、前記第２移動端末に切替えられた第１移動端末を復元させる方法であって、
（ａ）前記第２移動端末から受信される共通パイロットチャネルの電力の強さを確認する機能；及び
（ｂ）前記共通パイロットチャネルの電力の強さが設定された閾値以下である状態が設定された閾値時間以上であれば、前記第１移動端末の電話番号切替状態を解除して復元させる機能を含む、切替えられた状態の復元方法。
【請求項２】
前記機能（ａ）以前に、
前記第２移動端末から電話番号切替サービスの要請コード及び前記第１移動端末の電話番号を受信する機能；及び
前記第２移動端末の電話番号に前記第１移動端末の電話番号を設定し、前記第２移動端末のサービスプロファイルを前記第１移動端末のサービスプロファイルに変更して、前記第１移動端末を前記第２移動端末に切替させる機能を含む、請求項１に記載の切替えられた状態の復元方法。
【請求項３】
前記機能（ｂ）は、
前記第２移動端末に設定された第１移動端末の電話番号を解除する機能；
前記第１移動端末及び前記第２移動端末のサービスプロファイルを各々活性化させる機能；及び
前記第１移動端末及び前記第２移動端末に対して各々の移動通信サービスを提供する機能を含む、請求項２に記載の切替えられた状態の復元方法。
【請求項４】
前記機能（ｂ）は、
（ｂ１）前記共通パイロットチャネルの電力の強さが前記閾値以下である状態が設定された閾値時間以上であることを確認する機能；
（ｂ２） 設定された特定時間が経過した後に、前記第２移動端末から受信される共通パイロットチャネルの電力の強さを再確認する機能；及び
（ｂ３）再確認された電力の強さが前記閾値以下であれば、前記第１移動端末の電話番号切替状態を解除し、前記再確認された電力の強さが前記閾値以上であれば、前記（ａ）機能以降の過程を繰り返して行う機能を特徴とする、請求項１に記載の切替えられた状態の復元方法。
【請求項５】
第１移動端末の電話番号を第２移動端末に設定して、前記第２移動端末を通して前記第１移動端末の移動通信サービスの提供を受ける電話番号切替サービスにおいて、前記第２移動端末に切替えられた第１移動端末を復元させる方法であって、
（ａ）前記第２移動端末から受信される共通パイロットチャネルの電力の強さを確認する機能；及び
（ｂ）前記共通パイロットチャネルの電力の強さを通して、前記第２移動端末が移動通信サービスの提供を受けることができない状態が、設定された時間単位内で設定された閾値回数を超過することが確認されると、前記第１移動端末の電話番号切替状態を解除して復元させる機能を含む、切替えられた状態の復元方法。
【請求項６】
前記機能（ｂ）は、
（ｂ１）前記電力の強さを設定された閾値と比較して、前記電力の強さが前記閾値以下である区間を確認する機能；
（ｂ２）設定された時間単位内で前記電力の強さが前記閾値以下である区間の回数を確認する機能；及び
（ｂ３）前記電力の強さが前記閾値以下である区間の回数が設定された閾値回数を超過することが確認されると、前記第１移動端末の電話番号切替状態を解除する機能を含む、請求項５に記載の切替えられた状態の復元方法。
【請求項７】
前記機能（ａ）以前に、
前記第２移動端末から電話番号切替サービスの要請コード及び前記第１移動端末の電話番号を受信する機能；及び
前記第２移動端末の電話番号に前記第１移動端末の電話番号を設定し、前記第２移動端末のサービスプロファイルを前記第１移動端末のサービスプロファイルに変更して、前記第１移動端末を前記第２移動端末に切替えさせる機能を含む、請求項５または６に記載の切替えられた状態の復元方法。
【請求項８】
前記機能（ｂ３）は、
前記第２移動端末に設定された第１移動端末の電話番号を解除する機能；
前記第１移動端末及び前記第２移動端末のサービスプロファイルを各々活性化させる機能；及び
前記第１移動端末及び前記第２移動端末に対して各々の移動通信サービスを提供する機能を含む、請求項６に記載の切替えられた状態の復元方法。
【請求項９】
前記機能（ｂ３）は、
（ｂ３１）前記閾値以下である区間の回数が設定された閾値回数を超過することを確認する機能；
（ｂ３２）設定された特定時間が経過した後に、前記第２移動端末から受信される共通パイロットチャネルの電力の強さを確認する機能；及び
（ｂ３３）前記受信された電力の強さが前記閾値以下であれば、前記第１移動端末の電話番号切替状態を解除し、前記受信された電力の強さが前記閾値以上であれば、前記（ａ）機能以降の過程を繰り返して行う機能を特徴とする、請求項６に記載の切替えられた状態の復元方法。
【請求項１０】
第１移動端末の電話番号を第２移動端末に設定して、前記第２移動端末を通して前記第１移動端末の移動通信サービスの提供を受ける電話番号切替サービスにおいて、前記第２移動端末に切替えられた第１移動端末を復元させる方法であって、
（ａ）前記第１移動端末及び前記第２移動端末の位置を確認する機能；及び
（ｂ）前記第１移動端末がサービス可能地域に在圏し、前記第２移動端末が圏外地域に在圏すれば、前記第１移動端末の電話番号切替状態を解除して復元させる機能を含む切替えられた状態の復元方法。
【請求項１１】
前記機能（ａ）は、
前記第１移動端末又は前記第２移動端末から受信される共通パイロットチャネルの電力の強さが事前に設定された閾値以下であれば、前記第１移動端末又は前記第２移動端末が圏外地域に在圏したと判断することを特徴とする、請求項１０に記載の切替えられた状態の復元方法。
【請求項１２】
前記機能（ａ）は、
ホーム位置登録機や位置情報サービスサーバーと連動して、前記第１移動端末及び前記第２移動端末の位置情報を確認することを特徴とする、請求項１０に記載の切替えられた状態の復元方法。
【請求項１３】
前記機能（ｂ）は、
（ｂ１）前記第２移動端末の位置を確認して、前記第２移動端末が圏外地域に在圏していることを確認する機能；
（ｂ２）前記第１移動端末の位置を確認して、前記第１移動端末がサービス可能地域に在圏していることを確認する機能；
（ｂ３）前記第２移動端末に設定された第１移動端末の電話番号を解除する機能；
（ｂ４）前記第１移動端末及び前記第２移動端末のサービスプロファイルをそれぞれ活性化させる機能；及び
（ｂ５）前記第１移動端末及び前記第２移動端末に対して、それぞれの移動通信サービスを提供する機能を含む、請求項１０に記載の切替えられた状態の復元方法。
【請求項１４】
第１移動端末の電話番号を第２移動端末に設定して、前記第２移動端末を通して前記第１移動端末の移動通信サービスを提供する電話番号切替サービスのためのシステムであって、
前記電話番号切替サービスの提供のための命令を処理して、切替えられた第２移動端末から受信される共通パイロットチャネルの電力の強さや、前記第１移動端末及び前記第２移動端末の位置を確認して、前記電話番号切替サービスの解除のための命令を処理する交換機；及び
前記電話番号切替サービスの解除のための命令により、電話番号切替サービスによって前記第１移動端末のサービスプロファイルに切替えられた第２移動端末のサービスプロファイルを復旧させて、非活性化された第１移動端末のサービスプロファイルを活性化させるホーム位置登録機を含む、電話番号切替システム。
【請求項１５】
前記ホーム位置登録機は、
前記交換機で生成される電話番号切替サービスの提供のための命令により前記第１移動端末のサービスプロファイルを非活性化させたり、前記第２移動端末のサービスプロファイルを前記第１移動端末のサービスプロファイルに変更することをもっと含む、請求項１４に記載の電話番号切替システム。
【請求項１６】
前記電話番号切替サービス加入者情報を保存及び管理し、前記交換機から前記電話番号切替サービスの提供のための命令を受信して電話番号切替命令メッセージを生成したり、前記電話番号切替サービスの解除のための命令を受信して電話番号切替解除命令メッセージを生成する電話番号切替サーバー；及び
前記電話番号切替サーバーから伝達される前記電話番号切替命令メッセージや前記電話番号切替解除命令メッセージにより、前記第１移動端末に対するＭＳＩＳＤＮ及びＩＭＳＩマッピング情報を変換して、前記ホーム位置登録機に伝送する番号流動管理サーバーを追加的に含む、請求項１４または１５に記載の電話番号切替システム。
【請求項１７】
前記交換機は、
前記切替えられた第２移動端末から受信される共通パイロットチャネルの電力の強さが電力の強さの閾値以下である状態が前記閾値時間だけ維持される場合に、前記電話番号切替サービスの解除のための命令を生成することを特徴とする、請求項１４に記載の電話番号切替システム。
【請求項１８】
前記交換機は、
前記切替えられた第２移動端末から受信される共通パイロットチャネルの電力の強さが電力の強さ閾値以下である回数を設定された時間単位で確認して、前記確認された回数が閾値回数を超過する場合に、前記電話番号切替サービスの解除のための命令を生成することを特徴とする、請求項１４に記載の電話番号切替システム。
【請求項１９】
前記交換機は、
前記第２移動端末及び前記第１移動端末の位置情報を確認して、前記第２移動端末は圏外地域に在圏し、前記第１移動端末はサービス可能地域に在圏することが確認されると、前記電話番号切替サービスの解除のための命令を生成することを特徴とする、請求項１４に記載の電話番号切替システム。
【発明の詳細な説明】
【技術分野】
【０００１】
本発明は、電話番号切替サービスによって切替えられた状態を復元させる方法及びシステムに関するものである。特に、本発明は、任意の特定の移動端末（以下、第１移動端末とする）に提供される移動通信サービスを他の移動端末（以下、第２移動端末とする）に代わりに提供する電話番号切替サービスにおいて、第２移動端末にネットワーク上で切替えられた第１移動端末の電話番号を元の状態に復元させる方法及びそのためのシステムに関するものである。
【背景技術】
【０００２】
現在、既に使用中の移動端末の全てのプロファイル（Ｐｒｏｆｉｌｅ）を新たな移動端末に移転させようとする場合、機器変更や解約及び開通手続きが必要であり、これは、一時的な設定でなく再度同様の手続きを行なうまで設定が継続される。また、プロファイルが移転された後、元の状態に復帰させるためには、同様の手続きを繰り返さなければならない。
【０００３】
一方、ＳＩＭ（Ｓｕｂｓｃｒｉｂｅｒ ＩｄｅｎｔｉｔｙＭｏｄｕｌｅ）カードを利用して個人識別を行う第３世代移動通信サービスが提供されており、移動通信サービス加入者は、移動端末に装着されたＳＩＭカードを取り外して、他の移動端末に装着して利用することができるようになった。しかし、この方法は、先に言及した通り、移動通信サービス加入者が移動端末からＳＩＭカードを取り外して、他の移動端末に装着しなければならないので面倒である。また、ＳＩＭカードに対応していない移動端末への装着を行なうことはできない。したがって、このような煩雑さを解決するために、第１移動端末が加入した移動通信サービスを第２移動端末を通して自由に提供を受けるようにする機能が要求され、それによって電話番号切替サービスが提供されていた。
【０００４】
電話番号切替サービスは、第１移動端末及び第２移動端末を使用する使用者が第２移動端末に第１移動端末の電話番号をネットワーク上で一時的に切り替えて、第２移動端末を通して第１移動端末に提供される各種移動通信サービスを利用する技術である。この時、第１移動端末の電話番号にて提供される音声／テレビ電話サービスは第２移動端末にて提供されるので、第１移動端末を利用してはいかなる移動通信サービスも提供を受けることができない。
【０００５】
このような電話番号切替サービスによって切替設定された第１移動端末及び電話番号切替中状態が設定された第２移動端末を利用して移動通信サービスの提供を受けている途中で、使用者が移動することによって第２移動端末は圏外地域に在圏し、第１移動端末は使用者とともにサービスの提供が可能な地域に在圏する場合、使用者はサービス可能地域に在圏するにもかかわらず、電話番号切替中状態が設定された第２移動端末が圏外地域に在圏するので、使用者はいかなる移動通信サービスも提供を受けることができなくなる問題点が発生する。
【０００６】
特に、第１移動端末は携帯電話であり、第２移動端末は車両に搭載され持ち出し不可能なテレマティクス専用移動端末である場合、使用者が電話番号切替サービスを受けている途中で地下駐車場などの圏外地域に車両を駐車させて、切替えられた第１移動端末を元の状態に復帰させる手続きを行わず携帯電話だけを所持して移動通信サービスが可能な地域に移動した場合、使用者は切替えられた第１移動端末を再び元の状態に復元させるまで、いかなる移動通信サービスも提供を受けることができなくなる。つまり、電話番号切替サービスを利用した使用者が切替えられた第１移動端末の復帰手続きを忘れて行わない場合、使用者は継続して移動通信サービスの提供を受けることができない問題点が発生する。
【０００７】
そのために、使用者が電話番号切替サービスを利用した後、電話番号切替中状態が設定された第２移動端末が圏外地域に在圏することによって移動通信サービスの提供を受けることができない状態が一定時間以上維持されると、別途の手続きを行わなくても第２移動端末に切替えられている第１移動端末を復元させて、移動通信サービスの提供を受けることができるように自動復元させる技術が要求されている。
【発明の概要】
【発明が解決しようとする課題】
【０００８】
本発明が目的とする技術的課題は、電話番号切替サービスによって第１移動端末の情報によって移動通信サービスの提供を受けていた第２移動端末が一定時間以上圏外地域に在圏する場合、電話番号切替サービスを強制的に解除して、第１移動端末を元の状態に復元させる方法及びそのためのシステムを提供することにある。
【課題を解決するための手段】
【０００９】
このために、本発明の第１実施例による端末復元方法は、第１移動端末の電話番号をネットワーク上で第２移動端末に切り替えて、第２移動端末を通して第１移動端末の移動通信サービスの提供を受ける電話番号切替サービスにおいて、第２移動端末に切替えられた第１移動端末の電話番号を復元させる方法であって、（ａ）第２移動端末から受信される共通パイロットチャネルの電力の強さを確認する機能；及び（ｂ）共通パイロットチャネルの受信電力の強さが事前に設定された閾値以下である状態が事前に設定された閾値時間以上であれば、第１移動端末の電話番号切替状態を解除して復元させる機能を含む。
【００１０】
また、本発明の第２実施例による端末復元方法は、第１移動端末の電話番号を第２移動端末に設定して、第２移動端末を通して第１移動端末の移動通信サービスの提供を受ける電話番号切替サービスにおいて、第２移動端末に切替えられた第１移動端末の電話番号を復元させる方法であって、（ａ）第２移動端末から受信される共通パイロットチャネルの電力の強さを確認する機能；及び（ｂ）共通パイロットチャネルの受信電力の強さを通して第２移動端末が移動通信サービスの提供を受けることができない状態が事前に設定された時間単位内で事前に設定された閾値回数を超過することが確認されると、第１移動端末の電話番号切替状態を解除して復元させる機能を含む。
【００１１】
また、本発明の第３実施例による電話番号切替状態復元方法は、第１移動端末の電話番号を第２移動端末に設定して、第２移動端末を通して第１移動端末の移動通信サービスの提供を受ける電話番号切替サービスにおいて、第２移動端末に切替えられた第１移動端末の電話番号切替状態を復元させる方法であって、（ａ）第１移動端末及び第２移動端末の位置を確認する機能；及び（ｂ）第１移動端末がサービス可能地域に在圏し、第２移動端末が圏外地域に在圏すれば、第１移動端末の電話番号切替状態を解除して復元させる機能を含む。
【００１２】
また、本発明の実施例による電話番号切替システムは、第１移動端末の電話番号をネットワーク上で第２移動端末に切り替えて、第２移動端末を通して第１移動端末の移動通信サービスを提供する電話番号切替サービスのためのシステムであって、電話番号切替サービスの提供のための命令を実施して、切替えられた第２移動端末から受信される共通パイロットチャネルの電力の強さや、第１移動端末及び第２移動端末の位置によって、電話番号切替サービスの解除により切り戻し処理する交換機；及び電話番号切替サービスの解除のための命令によって、電話番号切替サービスによって第１移動端末のサービスプロファイルに切替えられた第２移動端末のサービスプロファイルを復旧させて、非活性化されていた第１移動端末のサービスプロファイルを活性化させるホーム位置登録機を含む。
【発明の効果】
【００１３】
本発明の実施例により、電話番号切替サービスによって電話番号切替中状態が設定された第２移動端末が圏外地域に一定時間以上在圏すれば、電話番号切替サービスを強制的に解除させて、第１移動端末を自動的に復元させることが可能になるので、移動通信サービス加入者が手動で復元手続きを行わなくても移動通信サービスの提供を受けることができずに、重要な電話の着信を逃すなどの状況が発生するのを防止することができる。それによって、移動通信サービス加入者も移動通信サービスの提供を受けることができない状況に対する不安を解消することができ、安心して電話番号切替サービスを利用することができる効果を期待することができる。
【図面の簡単な説明】
【００１４】
【図１】図１は本発明の実施例による電話番号切替サービスシステムのネットワーク構成を示した図面である。
【図２】図２は本発明の第１実施例により移動端末から受信されたＲＳＣＰ値が事前に設定された閾値時間の間にＲＳＣＰ閾値以下の値を維持することによって電話番号切替の解除が行われる場合に、移動端末から受信される共通パイロットチャネルのＲＳＣＰ値グラフの例を示した図面である。
【図３】図３は本発明の第１実施例により移動端末から受信される共通パイロットチャネルのＲＳＣＰ値が事前に設定された閾値時間の間にＲＳＣＰ閾値以下の値が維持される場合の電話番号切替の解除方法を説明するためのフローチャートである。
【図４】図４は本発明の第２実施例により移動端末から受信されたＲＳＣＰ値が事前に設定された閾値時間の間にＲＳＣＰ閾値以下の値を有する回数が事前に設定された閾値回数以上になる場合に、移動端末から受信される共通パイロットチャネルのＲＳＣＰ値グラフの例を示した図面である。
【図５】図５は本発明の第２実施例により移動端末から受信される共通パイロットチャネルのＲＳＣＰ値が事前に設定された閾値時間の間にＲＳＣＰ閾値以下の値を有する回数が事前に設定された閾値回数以上になる場合の電話番号切替の解除方法を説明するためのフローチャートである。
【図６】図６は本発明の第３実施例により第１移動端末及び第２移動端末の位置情報を利用して、切替えられた状態を復元させる方法を説明するためのフローチャートである。
【発明を実施するための形態】
【００１５】
以下、添付した図面を参考に、本発明の実施例について、詳細に説明する。しかし、本発明は、さまざまな形態に応用できるため、ここで説明する実施例に限定されない。そして、図面では、本発明を明確に説明するために、説明上不必要な部分は省略し、明細書全体を通して類似した部分には、類似した図面符号を付けた。
【００１６】
図１は本発明の実施例による電話番号切替サービスシステムのネットワーク構成を示した図面である。
【００１７】
本発明の実施例による電話番号切替サービスシステムは、第１移動端末（１１０）、第２移動端末（１２０）、第１移動端末（１１０）及び第２移動端末（１２０）に提供される移動通信サービスを各々処理する第１移動通信交換機（ＭＳＣ：ＭｏｂｉｌｅＳｗｉｔｃｈｉｎｇ Ｃｅｎｔｅｒ、以下、ＭＳＣとする）（１３０）及び第２ＭＳＣ（１４０）、第１移動端末（１１０）及び第２移動端末（１２０）を各々収容する第１ホームロケーションレジスタ（ＨＬＲ：ＨｏｍｅＬｏｃａｔｉｏｎ Ｒｅｇｉｓｔｅｒ、以下、ＨＬＲとする）（１５０）及び第２ＨＬＲ（１６０）、電話番号切替処理を制御する電話番号切替サーバー（１７０）、及び第１移動端末（１１０）及び第２移動端末（１２０）のＩＭＳＩ（ＩｎｔｅｒｎａｔｉｏｎａｌＭｏｂｉｌｅＳｕｂｓｃｒｉｂｅｒ Ｉｄｅｎｔｉｔｙ）及びＭＳＩＳＤＮ（Ｍｏｂｉｌｅ Ｓｕｂｓｃｒｉｂｅｒ ＩＳＤＮ Ｎｕｍｂｅｒ）マッピングデータを管理するナンバーポータビリティデータベース（ＮＰＤＢ：ＮｕｍｂｅｒＰｏｒｔａｂｉｌｉｔｙ ＤａｔａＢａｓｅ、以下、ＮＰＤＢとする）（１８０）を含む。
【００１８】
以下の説明においては、移動通信サービス加入者が第１移動端末（１１０）の使用中に第２移動端末（１２０）にネットワーク上で電話番号の切替を行って、電話番号切替中状態が設定された第２移動端末（１２０）を通して移動通信サービスの提供を受ける状況を基準に説明する。
【００１９】
ここで、使用される第１移動端末（１１０）及び第２移動端末（１２０）としては、音声／テレビ電話、文字メッセージの送受信が可能な端末であれば制限なく適用することができる。例えば、ＰＤＡ、セルラー電話、ＰＣＳ電話、ＧＳＭ電話、Ｗ−ＣＤＭＡ電話、ＣＤＭＡ-２０００電話、ＭＢＭＳ（Ｍｕｌｔｉｍｅｄｉａ Ｂｒｏａｄｃａｓｔ ａｎｄ Ｍｕｌｔｉｃａｓｔ Ｓｅｒｖｉｃｅ）電話などを挙げることができる。さらに、第２移動端末（１２０）は、車両に設置されて移動通信サービスの提供を受けるテレマティクス専用移動端末のような持ち出しできない端末でありうる。
【００２０】
以下の説明においては、第１移動端末（１１０）は携帯電話であり、第２移動端末（１２０）は車両に搭載されたテレマティクス専用移動端末である場合を例に説明する。
【００２１】
移動通信サービス加入者は、電話番号切替サービスを利用するために、電話番号切替中状態を設定する第２移動端末（１２０）に電話番号切替サービスを示すコード（例えば、＊１１１１）と切替設定を行おうとする第１移動端末（１１０）の電話番号（つまり、ＭＳＩＳＤＮ）とを入力した後、事前に設定された特定のボタンや通話ボタンを入力する。このような手続きによって、第１移動端末（１１０）の情報は移動通信網で非活性化されて発着信が禁止され、移動通信サービスに関する各処理は第２移動端末（１２０）を通して行われる。
【００２２】
第１移動端末（１１０）及び第１ＭＳＣ（１３０）、第２移動端末（１２０）及び第２ＭＳＣ（１４０）は、基地局及び基地局制御装置を通して各々接続され、第１ＭＳＣ（１３０）及び第２ＭＳＣ（１４０）は、基本及び付加サービス処理、加入者の着信及び発信号処理、位置登録手続き及びハンドオフ手続き処理、公衆網やインテリジェント・ネットワークシステムなどの他のネットワークとの連動機能を行う。
【００２３】
特に、電話番号切替サービスによって移動端末が切替設定される場合、第１ＭＳＣ（１３０）は、第１移動端末（１１０）のサービスプロファイルに対して非活性化設定を行うことによって、第１移動端末（１１０）の発着信を遮断する。また、第２ＭＳＣ（１４０）は、第２移動端末（１２０）のサービスプロファイルを第１移動端末（１１０）のサービスプロファイルに変更し、第２移動端末（１２０）のＭＳＩＳＤＮを第１移動端末（１１０）のＭＳＩＳＤＮに変更して、第１移動端末（１１０）に着信される呼が第２移動端末（１２０）に着信されるようにする。
【００２４】
反対に、電話番号切替を解除する場合、第１ＭＳＣ（１３０）は、第１移動端末（１１０）のサービスプロファイルを活性化し、第２ＭＳＣ（１４０）は、第２移動端末（１２０）のサービスプロファイルを復旧させる。
【００２５】
第２ＭＳＣ（１４０）は、第２移動端末（１２０）との間に送受信される共通パイロットチャネル（ＣＰＩＣＨ：ＣｏｍｍｏｎＰｉｌｏｔ Ｃｈａｎｎｅｌ）を通して、受信信号コードの電力の強さ量（ＲＳＣＰ：Ｒｅｃｅｉｖｅ Ｓｉｇｎａｌ Ｃｏｄｅ Ｐｏｗｅｒ、以下、ＲＳＣＰとする）を確認する。
【００２６】
また、第２ＭＳＣ（１４０）は、本発明の実施例により電話番号切替の解除のための判断基準として使用されるＲＳＣＰ閾値を事前に設定及び保存して、第２移動端末（１２０）との通信を通して確認されたＲＳＣＰが事前に設定されたＲＳＣＰ閾値に達しない場合、電話番号切替の解除要請メッセージを生成して、第１ＨＬＲ（１５０）及び第２ＨＬＲ（１６０）に伝達する機能を行う。
【００２７】
また、第１ＭＳＣ（１３０）及び第２ＭＳＣ（１４０）は移動端末の位置情報を提供する位置情報サービス（ＬＢＳ：Ｌｏｃａｔｉｏｎ  Ｂａｓｅｄ  Ｓｅｒｖｉｃｅ）サーバー（図示せず）との連動、又は共通パイロットチャネルを通じたＲＳＣＰの確認を通して、第１移動端末（１１０）及び第２移動端末（１２０）が圏外地域に在圏したか、移動通信サービス可能地域に在圏したかを確認する機能を行う。また、確認された第１移動端末（１１０）及び第２移動端末（１２０）の位置によって、電話番号切替状態を解除する機能を行う。
【００２８】
第１ＨＬＲ（１５０）及び第２ＨＬＲ（１６０）は、第１移動端末（１１０）及び第２移動端末（１２０）の加入者情報に関するサービスプロファイルを保存しているデータベースであって、移動端末（１１０、１２０）の識別番号（ＩＭＳＩ、ＭＳＩＳＤＮなど）、付加サービスの有無、位置情報、及び電話番号切替サービスのために必要な各種情報を保存する。
【００２９】
第１移動端末（１１０）を担当する第１ＨＬＲ（１５０）は、電話番号切替が行われると、第１移動端末（１１０）の情報に第２端末（１２０）に切替えられたことを表示し、第２移動端末（１２０）が在圏する第２ＭＳＣ（１４０）及び／またはパケット交換ノード（ＳＧＳＮ：ＳｅｒｖｉｎｇＧＰＲＳ Ｓｕｐｐｏｒｔ Ｎｏｄｅ）（図示せず）の情報を保存管理し、第２移動端末（１２０）を収容する第２ＨＬＲ（１６０）のシステムデータを管理する。反対に、電話番号切替が解除されると、第１移動端末（１１０）を収容する第１ＨＬＲ（１５０）は、電話番号切替情報を削除して、元通りに復元させる。
【００３０】
一方、第２ＨＬＲ（１６０）は、電話番号切替が行われると、第２移動端末（１２０）の情報に第１移動端末（１１０）からの電話番号切替が行われたことを表示して管理する。そして、電話番号切替が解除されると、第２ＨＬＲ（１６０）は、第２移動端末（１２０）の加入者情報に表示された電話番号切替情報を削除処理する。第２ＨＬＲ（１６０）に保存された電話番号切替情報は、電話番号切替状態で第２移動端末（１２０）が位置登録する場合に利用される。
【００３１】
電話番号切替サーバー（１７０）は、電話番号切替サービス加入者情報を保存管理し、電話番号切替サービス処理を行う。つまり、電話番号切替サーバー（１７０）は、第１ＨＬＲ（１５０）及び第２ＨＬＲ（１６０）から伝送されるメッセージのサービスコードによって、電話番号切替命令メッセージまたは電話番号切替解除命令メッセージを生成した後、ＮＰＤＢ（１８０）に伝送する役割を果たす。この時、電話番号切替サーバー（１７０）で電話番号切替命令メッセージまたは電話番号切替解除命令メッセージを生成する際には、第１移動端末（１１０）のＭＳＩＳＤＮを含む。
【００３２】
また、電話番号切替サーバー（１７０）は、本発明の実施例により、第１ＨＬＲ（１５０）及び第２ＨＬＲ（１６０）から電話番号切替の解除要請が伝達されると、電話番号切替解除命令メッセージを生成して、ＮＰＤＢ（１８０）に伝送する役割を果たす。
【００３３】
ＮＰＤＢ（１８０）は、第１移動端末（１１０）のＩＭＳＩ及びＭＳＩＳＤＮマッピングデータを保存管理し、電話番号切替サーバー（１７０）から伝達される電話番号切替命令メッセージまたは電話番号切替解除命令メッセージを受信すれば、メッセージに含まれている第１移動端末（１１０）のＭＳＩＳＤＮを利用してＩＭＳＩを検索し、メッセージに含まれている第１移動端末（１１０）のＭＳＩＳＤＮを検索されたＩＭＳＩに置き換えて第１ＨＬＲ（１５０）及び第２ＨＬＲ（１６０）に伝達して、電話番号切替の設定または電話番号切替の解除が行われるようにする。
【００３４】
ここで、本発明の実施例による電話番号切替サービスシステムの構成の説明とにおいて、電話番号切替サーバー（１７０）及びＮＰＤＢ（１８０）を別途の構成要素として説明したが、ＮＰＤＢ（１８０）は、移動端末のＭＳＩＳＤＮ及びＩＭＳＩマッピングデータを管理する機能を行う構成要素であって、電話番号切替サーバー（１７０）及びＮＰＤＢ（１８０）を一つの構成要素に統合して構築することもできる。この時、ＮＰＤＢ（１８０）は、データベースとしてだけ使用され、電話番号切替サーバー（１７０）が前記ＮＰＤＢ（１８０）の機能を共に行うように構成することができる。以下の説明においては、説明上の便宜のために、電話番号切替サーバー（１７０）及びＮＰＤＢ（１８０）が別途に構築されたことを基準に説明する。
【００３５】
このような電話番号切替サービスシステムにおいて、第１ＭＳＣ（１３０）及び第２ＭＳＣ（１４０）は移動端末から受信される共通パイロットチャネルのＲＳＣＰ値を利用して切替えられた状態を復元させることもでき、位置情報サービスサーバー等を通して確認される第１移動端末（１１０）及び第２移動端末（１２０）の位置情報を利用して切替えられた状態を復元させることもできる。
【００３６】
共通パイロットチャネルのＲＳＣＰ値を利用して切替えられた状態を復元させる電話番号切替サービスシステムにおいて、第１ＭＳＣ（１３０）及び第２ＭＳＣ（１４０）は、移動端末との間に送受信される共通パイロットチャネルを通してＲＳＣＰを確認し、確認されたＲＳＣＰ値が事前に設定されたＲＳＣＰ閾値に達しない場合に、切替えられた状態を復元させる役割を果たす。
【００３７】
このように電話番号切替の解除を要請するために、移動端末から受信されるＲＳＣＰ値を事前に設定されたＲＳＣＰ閾値と比較する際に、受信されたＲＳＣＰ値がＲＳＣＰ閾値以下の値を維持する状態が事前に設定された閾値時間の間維持されるか否かを判断する第１方法と、受信されたＲＳＣＰ値が事前に設定された特定時間の間にＲＳＣＰ閾値以下の値を有する回数を確認する第２方法とが使用される。
【００３８】
そして、第１移動端末（１１０）及び第２移動端末（１２０）の位置情報を利用して切替えられた状態を復元させる電話番号切替サービスシステムにおいて、第１ＭＳＣ（１３０）及び第２ＭＳＣ（１４０）は第１移動端末（１１０）及び第２移動端末（１２０）の位置を確認して、第２移動端末（１２０）は圏外地域に在圏し、第１移動端末（１１０）はサービス可能地域に在圏している場合、切替えられた状態を復元させる役割を果たす。
【００３９】
図２は本発明の第１実施例により移動端末から受信されたＲＳＣＰ値が事前に設定された閾値時間の間にＲＳＣＰ閾値以下の値を維持することによって電話番号切替の解除が行われる場合に、移動端末から受信される共通パイロットチャネルのＲＳＣＰ値グラフの例を示した図面である。
【００４０】
本発明の実施例による電話番号切替サービスシステムの第２ＭＳＣ（１４０）は、電話番号切替が行われて第１移動端末（１１０）のＭＳＩＳＤＮが設定されている第２移動端末（１２０）との間に事前に設定された時間単位で共通パイロットチャネルを交換する作業を行う。
【００４１】
そして、第２ＭＳＣ（１４０）は、第２移動端末（１２０）から受信される共通パイロットチャネルのＲＳＣＰ値を確認する。第２ＭＳＣ（１４０）では、ＲＳＣＰ値が図２Ａのような形態であることが確認される場合に、本発明の実施例により第２移動端末（１２０）に電話番号切替された第１移動端末（１１０）を復元させる作業を行う。
【００４２】
図２はＲＳＣＰ閾値が−１００ｄＢｍで、第２移動端末（１２０）から受信されるＲＳＣＰ値が−１００ｄＢｍ以下である状態が閾値時間である５秒以上になると、電話番号切替を解除する基準として使用する場合の例である。
【００４３】
電話番号切替が行われることによって、第１移動端末（１１０）のＭＳＩＳＤＮが設定された第２移動端末（１２０）と通信する第２ＭＳＣ（１４０）が、第２移動端末（１２０）から受信されたＲＳＣＰ値が図２Ａのような形態のグラフを示すことを確認する場合、第２ＭＳＣ（１４０）は、第２移動端末（１２０）から受信されたＲＳＣＰ値グラフがａ及びｂ区域の間で事前に設定されたＲＳＣＰ閾値である−１００ｄＢｍ以下の値を有し、ａ及びｂの間が事前に設定された閾値時間である５秒以上であることを確認するようになり、それによって第２ＨＬＲ（１６０）を通して電話番号切替サーバー（１７０）に電話番号切替の解除要請を伝達する。
【００４４】
また、第２移動端末（１２０）と通信する第２ＭＳＣ（１４０）が、第２移動端末（１２０）から受信されたＲＳＣＰ値が図２Ｂのような形態のグラフを示すことを確認する場合、第２ＭＳＣ（１４０）は、第２移動端末（１２０）から受信されるＲＳＣＰ値グラフがｃ及びｄ区域の間で事前に設定されたＲＳＣＰ閾値である−１００ｄＢｍ以下の値を有し、ｃ及びｄの間が事前に設定された閾値時間である５秒以上であることを確認するようになり、それによって第２ＨＬＲ（１６０）を通して電話番号切替サーバー（１７０）に電話番号切替の解除要請を伝達する。
【００４５】
ここで、図２Ａは事前に設定された閾値時間以後、つまりｂ以後にも第２移動端末（１２０）が継続して圏外地域に在圏する場合のＲＳＣＰ値グラフの例であり、図２Ｂは閾値時間以後、つまりｄ以後に第２移動端末（１２０）が圏内復帰する場合のＲＳＣＰ値グラフの例である。
【００４６】
図３は本発明の第１実施例により移動端末から受信される共通パイロットチャネルのＲＳＣＰ値が事前に設定された閾値時間の間にＲＳＣＰ閾値以下の値が維持される場合の電話番号切替の解除方法を説明するためのフローチャートである。
【００４７】
電話番号切替サービスを通して第１移動端末（１１０）に提供される移動通信サービスを第２移動端末（１２０）を通して提供を受けようとする使用者は、第２移動端末（１２０）に設定されたキーボタンを利用してネットワークに対して電話番号切替サービスを要請する。この時、電話番号切替サービスを要請する際に、第２移動端末（１２０）に電話番号切替サービスを示すコード（例えば、＊１１１１）を入力した後、切替しようとする第１移動端末（１１０）の電話番号（つまり、ＭＳＩＳＤＮ）を入力して、通話ボタンを入力する方法が使用される（Ｓ３１０）。
【００４８】
第２移動端末（１２０）から電話番号切替サービスコード、第１移動端末（１１０）の電話番号及び第２移動端末（１２０）の電話番号を受信した第２ＭＳＣ（１４０）は、電話番号切替サービスコードの受信が確認されることによって、第２ＨＬＲ（１６０）を通して電話番号切替サーバー（１７０）に受信された電話番号切替サービスコード及び端末情報を伝達する。
【００４９】
第２ＨＬＲ（１６０）を通して電話番号切替サービスコード、第１移動端末（１１０）の電話番号及び第２移動端末（１２０）の電話番号を受信した電話番号切替サーバー（１７０）は、電話番号切替命令メッセージを生成して、ＮＰＤＢ（１８０）に伝送し、ＦＮＳＰ（１８０）は、受信された第１移動端末（１１０）のＭＳＩＳＤＮを第２移動端末（１２０）に設定することによって、電話番号切替作業を行う（Ｓ３２０）。
【００５０】
電話番号切替作業が完了することによって、使用者は、第２移動端末（１２０）を通して第１移動端末（１１０）に提供される移動通信サービスを利用するようになる。この時、第２移動端末（１２０）を担当する第２ＭＳＣ（１４０）は、第２移動端末（１２０）との間に共通パイロットチャネルを定期的に送受信する。そして、第２移動端末（１２０）から受信される共通パイロットチャネルを通して第２移動端末（１２０）のＲＳＣＰ値を確認する（Ｓ３３０）。
【００５１】
第２ＭＳＣ（１４０）は、受信されたＲＳＣＰ値を事前に設定されたＲＳＣＰ閾値と比較して、比較の結果、受信されたＲＳＣＰ値がＲＳＣＰ閾値以下の値を有することを確認すれば（Ｓ３４０）、ＲＳＣＰ閾値以下の値を有する状態が維持される時間を確認する（Ｓ３５０）。
【００５２】
受信されたＲＳＣＰ値がＲＳＣＰ閾値以下の値を有する状態が事前に設定された閾値時間以上維持される場合、第２ＭＳＣ（１４０）は、電話番号切替の解除を要請するメッセージを生成して、第２ＨＬＲ（１６０）を通して電話番号切替サーバー（１７０）に伝送し、電話番号切替サーバー（１７０）は、電話番号切替解除命令メッセージを生成して、ＮＰＤＢ（１８０）に伝送する。
【００５３】
電話番号切替解除命令メッセージを受信したＮＰＤＢ（１８０）は、第２移動端末（１２０）に設定されている第１移動端末（１１０）のＭＳＩＳＤＮを解除して、電話番号切替の解除結果を第１ＨＬＲ（１５０）及び第２ＨＬＲ（１６０）に伝達して、電話番号切替の解除が行われるようにする。
【００５４】
第１ＨＬＲ（１５０）及び第２ＨＬＲ（１６０）は、受信された電話番号切替の解除結果によって、第１移動端末（１１０）の電話番号切替情報を削除して、第１移動端末（１１０）が元のＭＳＩＳＤＮ及びＩＭＳＩマッピングデータによって移動通信サービスの提供を正常に受けることができるようにする（Ｓ３６０）。
【００５５】
ここで、Ｓ３４０及びＳ３５０において、受信されたＲＳＣＰ値が事前に設定されたＲＳＣＰ閾値以上を維持したり、ＲＳＣＰ閾値以下の値を有しても事前に設定された閾値時間以内にＲＳＣＰ閾値以上である状態に復元される場合には、継続して電話番号切替状態を維持して、第１移動端末（１１０）の電話番号がマッピングされた第２移動端末（１２０）に移動通信サービスを提供する。
【００５６】
一方、このような電話番号切替サービスが提供される途中で、第２移動端末（１２０）から電話番号切替サービスの解除を示すコード（例えば、＊１１１２）が入力されると、入力された電話番号切替サービス解除コードはＮＰＤＢ（１８０）に伝達されて、ＮＰＤＢ（１８０）は、第２移動端末（１２０）に設定されている第１移動端末（１１０）のＭＳＩＳＤＮを解除して、電話番号切替の解除が行われるようにする作業を行う（Ｓ３７０）。
【００５７】
このような方法によって、電話番号切替が設定された第２移動端末（１２０）から受信されるＲＳＣＰ値が事前に設定されたＲＳＣＰ閾値以下である状態が事前に設定された閾値時間以上維持される場合、電話番号切替サービスを自動的に解除し、電話番号切替状態を解除して、第１移動端末（１１０）を移動通信サービスの提供が可能な状態に復帰させることができる。
【００５８】
図４は本発明の第２実施例により移動端末から受信されたＲＳＣＰ値が事前に設定された閾値時間の間にＲＳＣＰ閾値以下の値を有する回数が事前に設定された閾値回数以上になる場合に、移動端末から受信される共通パイロットチャネルのＲＳＣＰ値グラフの例を示した図面である。
【００５９】
本発明の実施例による電話番号切替サービスシステムは、電話番号切替が行われて第１移動端末（１１０）のＭＳＩＳＤＮが設定された第２移動端末（１２０）から受信される共通パイロットチャネルのＲＳＣＰ値が図４Ａのような形態を示す場合に、切替えられた第１移動端末（１１０）を復元させる作業を行う。
【００６０】
図４ではＲＳＣＰ閾値が−１００ｄＢｍ以下である状態が１０秒以内に３回以上発生する場合に、電話番号切替の解除作業を行うように設定された電話番号切替サービスシステムを例示して説明する。
【００６１】
電話番号切替が行われることによって、第２ＭＳＣ（１４０）は、第１移動端末（１１０）のＭＳＩＳＤＮが設定された第２移動端末（１２０）から受信されるＲＳＣＰ値が図４Ａのようなグラフを示す場合、第２ＭＳＣ（１４０）は、第２移動端末（１２０）から受信されるＲＳＣＰ値グラフを利用して、事前に設定された閾値時間、つまり１０秒間の変化を確認する。第２ＭＳＣ（１４０）は、図４Ａでａ及びｂの間のＲＳＣＰ値グラフの変化を確認した結果、ａ及びｂの間で設定されたＲＳＣＰ閾値である−１００ｄＢｍ以下の値になる区間がａ１、ａ２、及びａ３で総計３回になるので、第２ＭＳＣ（１４０）は、電話番号切替の解除要請を第２ＨＬＲ（１６０）を通して電話番号切替サーバー（１７０）に伝達する。
【００６２】
また、第２移動端末（１２０）と通信する第２ＭＳＣ（１４０）が図４Ｂのような形態のＲＳＣＰ値が確認される場合、第２移動端末（１２０）から受信されるＲＳＣＰ値グラフがｃ及びｄ区域の間でＲＳＣＰ閾値である−１００ｄＢｍ以下の値を有する区間がｃ１、ｃ２、及びｃ３で総計３回になる。それによって、第２ＭＳＣ（１４０）は、電話番号切替の解除要請を第２ＨＬＲ（１６０）を通して電話番号切替サーバー（１７０）に伝達する。
【００６３】
ここで、図４Ａは閾値時間以後、つまりｂ以後にも第２移動端末（１２０）が継続して圏外地域に在圏する場合のＲＳＣＰ値グラフの例であり、図４Ｂは閾値時間以後、つまりｄ以後に第２移動端末（１２０）が圏外地域を外れる場合のＲＳＣＰ値グラフの例である。
【００６４】
図５は本発明の第２実施例により移動端末から受信される共通パイロットチャネルのＲＳＣＰ値が事前に設定された閾値時間の間にＲＳＣＰ閾値以下の値を有する回数が事前に設定された閾値回数以上になる場合の電話番号切替の解除方法を説明するためのフローチャートである。
【００６５】
本発明の第２実施例により、第２移動端末（１２０）が電話番号切替サービスを要請するために、事前に設定された電話番号切替サービスコード及び第１移動端末（１１０）の電話番号（ＭＳＩＳＤＮ）を入力して、ＮＰＤＢ（１８０）で電話番号切替サービスコードの入力による電話番号切替を設定すれば、第２ＭＳＣ（１４０）が第２移動端末（１２０）から受信される共通パイロットチャネルのＲＳＣＰ値を確認して、第１移動端末（１１０）に提供される移動通信サービスを第２移動端末（１２０）を通して提供するＳ５１０からＳ５３０までの流れは、先に図３で説明したＳ３１０からＳ３３０までの流れと同一なので、詳細な説明は省略する。
【００６６】
第２ＭＳＣ（１４０）は、第２移動端末（１２０）から受信されるＲＳＣＰ値を事前に設定されたＲＳＣＰ閾値と比較して、ＲＳＣＰ閾値以下である区間が確認されると（Ｓ５４０）、確認された区間を記録する（Ｓ５５０）。
【００６７】
そして、事前に設定された時間間隔の間のＲＳＣＰ閾値以下である区間の回数を確認する。例えば、図４のように閾値時間が１０秒と事前に設定された場合には、以前の１０秒区間の間にＲＳＣＰ閾値以下の区間と記録された回数を確認する（Ｓ５６０）。
【００６８】
そして、確認されたＲＳＣＰ閾値以下の区間の回数が事前に設定された閾値回数に達するか否かを確認する。例えば、図４のように閾値回数が３回と事前に設定された場合には、確認されたＲＳＣＰ閾値以下の区間の回数が３回を超過するか否かを確認する（Ｓ５７０）。
【００６９】
そして、確認されたＲＳＣＰ閾値以下の区間の回数が事前に設定された閾値回数に達すれば、第２ＭＳＣ（１４０）は、電話番号切替の解除を要請するメッセージを生成して、第２ＨＬＲ（１６０）及び電話番号切替サーバー（１７０）を通してＮＰＤＢ（１８０）に伝送する。
【００７０】
電話番号切替解除命令メッセージを受信したＮＰＤＢ（１８０）は、第２移動端末（１２０）に設定されている第１移動端末（１１０）のＭＳＩＳＤＮを解除して、第１移動端末（１１０）が元のＭＳＩＳＤＮ及びＩＭＳＩマッピングデータを利用して移動通信サービスの提供を受けることができるようにする（Ｓ５８０）。
【００７１】
ここで、Ｓ５４０及びＳ５７０において、受信されたＲＳＣＰ値が事前に設定されたＲＳＣＰ閾値以上を維持したり、閾値時間内にＲＳＣＰ閾値以下の値を有する区間が事前に設定された閾値回数以下である場合には、継続して電話番号切替状態を維持して、第１移動端末（１１０）の電話番号がマッピングされた第２移動端末（１２０）に移動通信サービスを提供する。
【００７２】
電話番号切替サービスが利用されている途中で、第２移動端末（１２０）から電話番号切替サービス解除コードが入力されると、ＮＰＤＢ（１８０）は、第２移動端末（１２０）に設定されている第１移動端末（１１０）のＭＳＩＳＤＮを解除して、電話番号切替の解除が行われるようにする作業を行う（Ｓ５９０）。
【００７３】
このような方法によって、電話番号切替サービスを行う第２移動端末（１２０）から受信されるＲＳＣＰ値が事前に設定された閾値時間の間にＲＳＣＰ閾値以下の値を有する回数が事前に設定された閾値回数以上になる場合、電話番号切替サービスを自動的に解除して、第１移動端末（１１０）を移動通信サービスの提供が可能な状態に復帰させることができる。
【００７４】
ここで、本発明の実施例による電話番号切替サービスシステムを実際に製造する際、受信されるＲＳＣＰ値が閾値時間の間にＲＳＣＰ閾値以下の値が維持される場合に電話番号切替を解除する第１方法と、受信されるＲＳＣＰ値が閾値時間の間にＲＳＣＰ閾値以下の値を有する回数が事前に設定された閾値回数以上になる場合に電話番号切替を解除する第２方法とを同時に適用して実現することもできる。
【００７５】
つまり、受信されるＲＳＣＰ値がＲＳＣＰ閾値以下である状態を事前に設定された閾値時間以上維持したり、閾値時間以上維持されなくても事前に設定された閾値回数を超過する場合、電話番号切替状態を解除するように設定することができる。
【００７６】
以上において、本発明の第１実施例により受信されるＲＳＣＰ値が閾値時間の間にＲＳＣＰ閾値以下の値が維持される場合に電話番号切替状態を解除したり、本発明の第２実施例により受信されるＲＳＣＰ値が閾値時間の間にＲＳＣＰ閾値以下の値を有する回数が事前に設定された閾値回数以上になる場合に電話番号切替状態を解除することにおいて、電話番号切替状態の解除条件が満たされれば、直ちに電話番号切替状態の解除作業を行うこともでき、電話番号切替状態の解除条件が満たされた後に、事前に設定された特定時間が経過した時点で電話番号切替状態の解除作業を行うように設定することもできる。
【００７７】
ここで、電話番号切替条件が満たされた後に、事前に設定された特定時間が経過した時点で電話番号切替状態の解除作業を行うように設定する場合、電話番号切替状態の解除作業を開始する時点で第１移動端末（１１０）のＭＳＩＳＤＮを含む第２移動端末（１２０）が圏外地域に在圏するか否かを再び確認して、電話番号切替状態の解除作業の進行または中断を決定することができるようにする２次条件を追加設定することができる。
【００７８】
例えば、本発明の第１実施例により第２移動端末（１２０）から受信されるＲＳＣＰ値によるグラフが図２Ａ及び図２Ｂのような場合、ａ区間及びｂ区間でＲＳＣＰ値がＲＳＣＰ閾値以下の値が維持されることによって、電話番号切替状態の解除が決定される。この時、２次条件の追加設定により、電話番号切替状態の解除が決定された後に、事前に設定された特定時間（例として５秒）が経過した時点で第２移動端末（１２０）から受信されるＲＳＣＰ値を確認する。２Ａでは、電話番号切替状態の解除が決定された後に５秒経過時点で、ＲＳＣＰ値がＲＳＣＰ閾値以下と確認され、それによって電話番号切替状態の解除作業を進めるように決定される。反面、２Ｂでは、電話番号切替状態の解除が決定された後に５秒経過時点で、ＲＳＣＰ値がＲＳＣＰ閾値以上と確認され、それによって電話番号切替状態の解除作業を行わないように決定される。
【００７９】
また、本発明の第２実施例により第２移動端末（１２０）から受信されるＲＳＣＰ値によるグラフが図４Ａ及び図４Ｂのような場合、ａ区間及びｂ区間でＲＳＣＰ値がＲＳＣＰ閾値以下の値が維持されることによって、電話番号切替状態の解除が決定される。この時、２次条件の追加設定により、４Ａでは、電話番号切替状態の解除が決定された後に５秒経過時点で、ＲＳＣＰ値がＲＳＣＰ閾値以下と確認され、それによって電話番号切替状態の解除作業を進めるように決定される。そして、４Ｂでは、電話番号切替状態の解除が決定された後に５秒経過時点で、ＲＳＣＰ値がＲＳＣＰ閾値以上と確認され、それによって電話番号切替状態の解除作業を行わないように決定される。
【００８０】
図６は本発明の第３実施例により第１移動端末及び第２移動端末の位置情報を利用して、切替えられた状態を復元させる方法を説明するためのフローチャートである。
【００８１】
本発明の第３実施例により、第２移動端末（１２０）が電話番号切替サービスを要請するために、事前に設定された電話番号切替サービスコード及び第１移動端末（１１０）の電話番号（ＭＳＩＳＤＮ）を入力して、ＮＰＤＢ（１８０）で電話番号切替サービスコード入力による電話番号切替を設定すれば、第１移動端末（１１０）に提供される移動通信サービスを第２移動端末（１２０）を通して提供するＳ６１０及びＳ６２０は、先に図３で説明したＳ３１０及びＳ３２０と同一なので、詳細な説明は省略する。
【００８２】
電話番号切替サービスが提供されると、第１ＭＳＣ（１３０）及び第２ＭＳＣ（１４０）は第１移動端末（１１０）及び第２移動端末（１２０）の位置を確認して、第１移動端末（１１０）及び第２移動端末（１２０）が圏外地域に在圏しているか、サービス可能地域に在圏しているかを確認する。
【００８３】
この時、第１ＭＳＣ（１３０）及び第２ＭＳＣ（１４０）は位置位置サービスサーバーとの連動を通して第１移動端末（１１０）及び第２移動端末（１２０）の位置情報を確認して、圏外地域に在圏するか、サービス可能地域に在圏するかを確認することもでき、第１移動端末（１１０）及び第２移動端末（１２０）から受信されるＲＳＣＰ値が一定数値以下である場合、圏外地域に在圏したと見なして、第１移動端末（１１０）及び第２移動端末（１２０）の位置を確認することもできる。この他にも移動端末の位置登録手続を通してＨＬＲ（１５０、１６０）に保存される位置情報を利用して、第１移動端末（１１０）及び第２移動端末（１２０）の位置を推定するなど多様な方法を使用することができる（Ｓ６３０）。
【００８４】
このような位置情報確認を通して、第２ＭＳＣ（１４０）で第２移動端末（１２０）が圏外地域に在圏していることを確認すれば、第１ＭＳＣ（１３０）に第１移動端末（１１０）の位置情報確認を要請する（Ｓ６４０）。
【００８５】
第１ＭＳＣ（１３０）で第１移動端末（１１０）の位置情報を確認した結果、第１移動端末（１１０）がサービス可能地域に在圏していることを確認すれば、第２ＭＳＣ（１４０）に位置情報確認結果を通知する（Ｓ６５０）。
【００８６】
位置情報確認結果を受信した第２ＭＳＣ（１４０）は電話番号切替解除を要請するメッセージを生成して、第２ＨＬＲ（１６０）及び電話番号切替サーバー（１７０）を通してＮＰＤＢ（１８０）に伝送し、電話番号切替解除命令メッセージを受信したＮＰＤＢ（１８０）は第２移動端末（１２０）に設定されている第１移動端末（１１０）のＭＳＩＳＤＮを解除して、第１移動端末（１１０）が元のＭＳＩＳＤＮとＩＭＳＩのマッピングデータを利用して、移動通信サービスの提供を受けることができるようにする（Ｓ６６０）。
【００８７】
ここで、Ｓ６４０及びＳ６５０において、第２移動端末（１４０）がサービス可能地域に在圏したり、第２移動端末（１４０）と第１移動端末（１３０）が全て圏外地域に在圏する場合には、継続して電話番号切替状態を維持し、第１移動端末（１１０）の電話番号がマッピングされた第２移動端末（１２０）に移動通信サービスを提供する。
【００８８】
一方、このような電話番号切替サービスが提供される途中で、第２移動端末（１２０）から電話番号切替サービスの解除を示すコードが入力されると、入力された電話番号切替サービス解除コードはＮＰＤＢ（１８０）に伝達され、ＮＰＤＢ（１８０）は第２移動端末（１２０）に設定されている第１移動端末（１１０）のＭＳＩＳＤＮを解除して電話番号切替解除が行われるようにする作業を行う（Ｓ６７０）。
【００８９】
以上で説明した本発明の実施例は、装置及び方法を通してのみ実現されるのではなく、本発明の実施例の構成に対応する機能を実現するプログラムまたはそのプログラムが記録された記録媒体を通して実現されることもでき、このような実現は、先に説明した実施例の記載から本発明が属する技術分野の専門家であれば簡単に実現することができる。
【００９０】
以上で、本発明の実施例について詳細に説明したが、本発明の権利範囲はこれに限定されず、請求の範囲で定義している本発明の基本概念を利用したさまざまな変形及び改良形態も、本発明の権利範囲に属する。
【符号の説明】
【００９１】
１１０…第１移動端末、１２０…第２移動端末、１３０…第１移動通信交換機、１４０…第２移動通信交換機、１５０…第１ホームロケーションレジスタ、１６０…第２ホームロケーションレジスタ、１７０…電話番号切替サーバー、１８０…ナンバーポータビリティデータベース。
【図１】
2010124461.tif 000003
【図２】
2010124461.tif 000004
【図３】
2010124461.tif 000005
【図４】
2010124461.tif 000006
【図５】
2010124461.tif 000007
【図６】
2010124461.tif 000008